(57)【要約】【課題】素足で履くフットカバーにおいて、履くときに履きやすいように十分に開いて歩くときに脱げないように閉じる開口部に設けられた伸縮性細幅生地が目立ちにくく、かつ、肌触りが良い。【解決手段】このフットカバー１００は、爪先と踵を含む足底とを被覆するとともに足甲および足首を露出するフットカバーであって、爪先部１０２、足底部１０４、側辺部１０６および踵部１０８で形成され、足底部１０４に対して上下反対側に足を出し入れするための開口部を設け、開口部を形成する側辺部１０６の上縁に伸縮性細幅生地１１６を設け、伸縮性細幅生地１１６は、伸縮性細幅生地１１６の長手方向の略中心が上縁に沿うように上縁で折り返されて側辺部１０６の表側（靴側）と裏側（肌側）とに設けられている。【選択図】図６
2014133952.tif 000002
【特許請求の範囲】
【請求項１】
爪先と踵を含む足底とを被覆するとともに足甲および足首を露出するフットカバーであって、足底部、側辺部、踵部および前記爪先を覆う筒状の爪先部で形成され、
前記足底部に対して上下反対側に足を出し入れするための開口部を設け、
前記開口部を形成する側辺部の上縁に伸縮性細幅生地を設け、
前記伸縮性細幅生地は、前記伸縮性細幅生地の長手方向の略中心が前記上縁に沿うように前記上縁で折り返されて前記側辺部の表側と裏側とに設けられていることを特徴とするフットカバー。
【請求項２】
前記開口部の全周に伸縮性細幅生地を設けられていることを特徴とする、請求項１に記載のフットカバー。
【請求項３】
前記爪先部に爪先開口部が設けられ、前記爪先開口部に伸縮性細幅生地が設けられていることを特徴とする、請求項１または請求項２に記載のフットカバー。
【請求項４】
前記伸縮性細幅生地は、爪先部、足底部、側辺部および踵部を形成する生地のいずれかと同じ生地で形成されていることを特徴とする、請求項１〜請求項３のいずれかに記載のフットカバー。
【請求項５】
前記伸縮性細幅生地は、爪先部、足底部、側辺部および踵部を形成する生地のいずれとも異なる生地で形成されていることを特徴とする、請求項１〜請求項３のいずれかに記載のフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
しかしながら、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
さらに、特許文献２に開示された平ゴムは、開口部の周縁の生地の内側に接着されているため、かつ、この平ゴムは従来のフットカバーで使用されているゴム紐に比べてが大きく平坦であるため、平ゴムが目立ちやすいという問題がある。また、開口部の周縁の生地の内側に接着されているため、平ゴムの上縁が肌に当接して肌触りが好ましくないという問題もある。
【０００８】
本発明は、従来技術の上述の問題点に鑑みて開発されたものであり、その目的とするところは、フットカバーを履くときに開口部が十分に開いて履きやすく、かつ、歩行時およ
びパンプスの脱ぎ履き時にフットカバーが脱げてしまったり履き位置がずれてしまったりすることがないフットカバーであって、目立ちにくく肌触りが好ましいフットカバーを提供することを目的とする。
【課題を解決するための手段】
【０００９】
上記目的を達成するため、本発明に係るフットカバーは以下の技術的手段を講じている。
すなわち、本発明のある態様に係るフットカバーは、爪先と踵を含む足底とを被覆するとともに足甲および足首を露出するフットカバーであって、足底部、側辺部、踵部および前記爪先を覆う筒状の爪先部で形成され、前記足底部に対して上下反対側に足を出し入れするための開口部を設け、前記開口部を形成する側辺部の上縁に伸縮性細幅生地を設け、前記伸縮性細幅生地は、前記伸縮性細幅生地の長手方向の略中心が前記上縁に沿うように前記上縁で折り返されて前記側辺部の表側と裏側とに設けられていることを特徴とする。
【００１０】
好ましくは、前記開口部の全周に伸縮性細幅生地を設けられているように構成することができる。
さらに好ましくは、前記爪先部に爪先開口部が設けられ、前記爪先開口部に伸縮性細幅生地が設けられているように構成することができる。
さらに好ましくは、前記伸縮性細幅生地は、爪先部、足底部、側辺部および踵部を形成する生地のいずれかと同じ生地で形成することができる。
【００１１】
さらに好ましくは、前記伸縮性細幅生地は、爪先部、足底部、側辺部および踵部を形成する生地のいずれとも異なる生地で形成することができる。
【発明の効果】
【００１２】
本発明のフットカバーによれば、フットカバーを履くときに開口部が十分に開いて履きやすく、かつ、歩行時およびパンプスの脱ぎ履き時にフットカバーが脱げてしまったり履き位置がずれてしまったりすることがないようにでき、開口部に設けられた伸縮性細幅生地が目立ちにくく肌触りも好ましい。
【図面の簡単な説明】
【００１３】
【図１】本発明の実施の形態に係るフットカバー（その１）の全体斜視図である。
【図２】図１のフットカバーを裏返した斜視図である。
【図３】本発明の実施の形態に係るフットカバー（その２）の全体斜視図である。
【図４】図３のフットカバーを裏返した斜視図である。
【図５】本発明の実施の形態に係るフットカバーの踵部内面の部分拡大図である。
【図６】本発明の実施の形態に係るフットカバーの断面図である。
【図７】本発明の実施の形態に係るフットカバーの足底部の裏面図である。
【発明を実施するための形態】
【００１４】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、いずれのフットカバーを形成する生地も伸縮性生地である。
【００１５】
図１および図２に本発明の実施の形態に係るフットカバー１００を、図３および図４に本発明の実施の形態に係る別のフットカバー２００を、それぞれ示す。図１および図３は、フットカバーの全体斜視図であって、図２および図４はフットカバーを裏返した斜視図であって、図１−図４のいずれの図も着用者の足Ｆにフットカバーを着用している状態を想定している。すなわち、本発明の実施の形態に係るフットカバーは、パンティストッキング等の伸縮性生地で形成されているために、このように想定して図示しない場合には縮んだ状態となり、形状を理解することが困難なため、上述のように想定している。
【００１６】
いずれのフットカバー１００、２００も、着用者の足Ｆの爪先と踵を含む足底とを被覆するとともに足甲および足首を露出するフットカバーである。いずれのフットカバー１００、２００も、着用時にパンプスから露出することのないよう履き口である開口部が大き
くカットされた薄手の伸縮性生地（パンティストッキング等の生地）で形成されている。
フットカバー１００、２００は、それぞれ、爪先部１０２、２０２、足底部１０４、２０４、側辺部１０６、２０６および踵部１０８、２０８で形成されている。そして、足底部１０４、２０４に対して上下反対側に足を出し入れするための開口部が設けられている。この開口部を形成する側辺部１０６、２０６の上縁に、それぞれ伸縮性細幅生地１１６、２１６が設けられている。
【００１７】
さらに、図５に示すように、踵部１０８、２０８において伸縮性細幅生地１１６、２１６の足Ｆ側（内側）には、シリコン樹脂等の薄い透明のシートで形成された踵部滑り止め１１８、２１８が設けられている。これにより、足Ｆの踵との密着性を高めてフットカバー１００、２００が足Ｆからずれることを防止できる。なお、この踵部滑り止め１１８、２１８は、本発明に係るフットカバーにおいて必須の構成ではない。
【００１８】
さらに、図６を参照して、側辺部１０６、２０６の上縁に設けられた伸縮性細幅生地１１６、２１６について説明する。図６は、このフットカバー１００、２００の長さ方向の略中央における断面図であって、爪先方向から踵方向を見た断面図である。この図６（および図１−図４）に示すように、伸縮性細幅生地１１６、２１６は、伸縮性細幅生地１１６、２１６の長手方向の略中心が開口部を形成する側辺部１０６、２０６の上縁に沿うように、この上縁で折り返されて側辺部１０６、２０６の表側（靴側）と裏側（肌側）とに跨がって設けられている。
【００１９】
このように伸縮性細幅生地１１６、２１６を側辺部１０６、２０６の上縁に設けると、開口部の伸縮性を維持しつつ、着用時に外観上で視認できる伸縮性細幅生地１１６、２１６の幅（高さ）を細くすることができ、外観上好ましい。さらに、側辺部１０６、２０６の上縁が伸縮性細幅生地１１６、２１６の折り返し部となるので、側辺部１０６、２０６の上縁に折り返すことなく伸縮性細幅生地１１６、２１６を設けた場合に比較して、伸縮性細幅生地１１６、２１６の上縁が肌に当接することがないので、滑らかな肌触りとなる。
【００２０】
なお、本実施の形態においては、開口部の全周に伸縮性細幅生地を上述した態様（側辺部の上縁で折り返した態様）で設けているが、開口部の一部分に伸縮性細幅生地を上述した態様で設けたものであっても構わない。たとえば、このような態様として、爪先部１０２、２０２の上側の後縁に伸縮性細幅生地１１６、２１６が設けられていないものが考えられる。このように爪先部１０２、２０２の上側の後縁に伸縮性細幅生地１１６、２１６が設けられていない場合であっても、伸縮性細幅生地１１６、２１６が設けられている部分においては、上述したように、伸縮性細幅生地１１６、２１６の長手方向の略中心が開口部を形成する側辺部１０６、２０６の上縁に沿うように、この上縁で折り返されて側辺部１０６、２０６の表側（靴側）と裏側（肌側）とに跨がって設けられている。
【００２１】
さらに、図７に示すように、足底部１０４、２０４において、足Ｆが接する側と反対側（パンプスを履いたときにパンプスの内底に接する側）には、シリコン樹脂等の薄いシートで形成され、足底部滑り止め１１４、２１４が設けられている。これにより、パンプスの内底との密着性を高めてパンプス内におけるフットカバー１００、２００の位置がずれることを防止できる。なお、この足底部滑り止め１１４、２１４は、星柄模様を形成している。なお、この足底部滑り止め１１４、２１４は、本発明に係るフットカバーにおいて必須の構成ではない。
【００２２】
さらに、フットカバー１００とフットカバー２００との相違点は、以下の通りである。
フットカバー１００は爪先部１０２に爪先開口部を備えないが、フットカバー２００は、爪先部２０２に爪先開口部２０３を備え、その爪先開口部２０３の全周に伸縮性細幅生地２１７が設けられている。この伸縮性細幅生地２１７も上述した伸縮性細幅生地１１６、２１６と同様に、伸縮性細幅生地２１７の長手方向の略中心が爪先開口部２０３を形成する周縁に沿うように、この周縁で折り返されて爪先開口部２０３を形成する周縁の表側（靴側）と裏側（肌側）とに跨がって設けられている。
【００２３】
このように伸縮性細幅生地２１７を爪先開口部２０３の周縁に設けると、上述した伸縮性細幅生地１１６、２１６と同様に、爪先開口部２０３の周縁が伸縮性細幅生地２１７の
折り返し部となるので、爪先開口部２０３の周縁に折り返すことなく伸縮性細幅生地２１７を設けた場合に比較して、伸縮性細幅生地２１７の縁が肌に当接することがないので、滑らかな肌触りとなる。
【００２４】
なお、本実施の形態においては、爪先開口部の全周に伸縮性細幅生地を上述した態様（爪先開口部の周縁で折り返した態様）で設けているが、爪先開口部の一部分に伸縮性細幅生地を上述した態様で設けたものであっても構わない。
なお、以下のように、伸縮性細幅生地は、爪先部、足底部、側辺部および踵部を形成する生地のいずれかと同じ生地で形成されていても構わないし、爪先部、足底部、側辺部および踵部を形成する生地のいずれとも異なる生地で形成されていても構わない。
【００２５】
たとえば、フットカバー１００、２００において、このフットカバー１００、２００を形成する、爪先部１０２、２０２、足底部１０４、２０４、側辺部１０６、１０６および踵部１０８、２０８が同じ生地で形成されており、伸縮性細幅生地１１６、２１６がこの生地と同じ共生地である。すなわち、このフットカバー１００、２００は、全て同じ伸縮性生地で形成されている。
【００２６】
また、フットカバー１００、２００において、爪先部１０２、２０２、足底部１０４、２０４、側辺部１０６、２０６および踵部１０８、２０８が全て同じ生地とは限らず、伸縮性細幅生地１１６、２１６がこれらのいずれの生地とも異なるか、または、これらのいずれかの生地と同じであっても構わない。たとえば、このフットカバー１００、２００は、フットカバー１００、２００の爪先部１０２、２０２、側辺部１０６、２０６および踵部１０８、２０８は同じ伸縮性生地であって、足底部１０４、２０４および伸縮性細幅生地１１６、２１６は異なる伸縮性生地であって、足底部１０４、２０４と伸縮性細幅生地１１６、２１６とは同じ生地ではない（同じ生地であってもよい）。すなわち、この場合にはフットカバー１００、２００は、異なる２種類以上の伸縮性生地で形成されており、伸縮性細幅生地１１６、２１６は、爪先部１０２、２０２、足底部１０４、２０４、側辺部１０６、２０６および踵部１０８、２０８の生地と同じ生地であっても異なる生地であっても構わない。
【００２７】
さらに、本発明に係るフットカバーは他の態様であっても構わず、たとえば開口部に設けられる伸縮性細幅生地の種類とその位置との組合せにより、本発明に係るフットカバーは、
（１）開口部を形成する側辺部の上縁に設けられる伸縮性細幅生地が共生地で、かつ、爪先部の上側の後縁に伸縮性細幅生地が設けられていないフットカバーであっても（開口部の全周に伸縮性細幅生地が設けられているわけではない）、
（２）開口部を形成する側辺部の上縁に設けられる伸縮性細幅生地が共生地でなく、かつ、爪先部の上側の後縁に伸縮性細幅生地が設けられていないフットカバーであっても（開口部の全周に伸縮性細幅生地が設けられているわけではない）、
（３）開口部を形成する側辺部の上縁に設けられる伸縮性細幅生地が共生地で、かつ、爪先部の上側の後縁に伸縮性細幅生地が設けられているフットカバーであっても（開口部の全周に伸縮性細幅生地が設けられている）、
（４）開口部を形成する側辺部の上縁に設けられる伸縮性細幅生地が共生地でなく、かつ、爪先部の上側の後縁に伸縮性細幅生地が設けられているフットカバーであっても（開口部の全周に伸縮性細幅生地が設けられている）
構わない。
【００２８】
なお、いずれのフットカバーにおいても、伸縮性細幅生地は、フットカバー生地に、熱プレス装置により接合されている。
以上のようにして、本実施の形態に係るフットカバーによると、開口部に設けられる伸縮性細幅生地を、伸縮性細幅生地の長手方向の略中心が開口部を形成する側辺部の上縁に沿うように、この上縁で折り返されて側辺部の表側（靴側）と裏側（肌側）とに跨がって設けられている。このように伸縮性細幅生地を側辺部の上縁に設けると、開口部の伸縮性を維持しつつ、着用時に外観上で視認できる伸縮性細幅生地を細くすることができ、外観上好ましく、側辺部の上縁に折り返すことなく伸縮性細幅生地を設けた場合に比較して、
伸縮性細幅生地の上縁ではなく折り返された伸縮性細幅生地が肌に当接するので滑らかな肌触りとなる。
【００２９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３０】
本発明は、素足で履くフットカバーに好適であり、開口部に設けられた伸縮性細幅生地が目立ちにくく肌触りも好ましく、さらにフットカバーを履くときに開口部が十分に開いて履きやすく、かつ、歩行時およびパンプスの脱ぎ履き時にフットカバーが脱げてしまったり履き位置がずれてしまったりすることがない点で特に好ましい。
【符号の説明】
【００３１】
１００、２００  フットカバー
１０２、２０２  爪先部
１０４、２０４  足底部
１１４、２１４  足底部滑り止め
１０６、２０６  側辺部
１１６、２１６  （側辺部の上縁に設けられた）伸縮性細幅生地
１０８、２０８  踵部
１１８、２１８  踵部滑り止め
Ｆ  足
【図５】
2014133952.tif 000003
【図６】
2014133952.tif 000004
【図７】
2014133952.tif 000005
【図１】
2014133952.tif 000006
【図２】
2014133952.tif 000007
【図３】
2014133952.tif 000008
【図４】
2014133952.tif 000009